(57)【要約】      （修正有）【課題】コップに付着した水滴を効率よく吸水することにより、コースターの表面に水滴が溜まることを防ぐとともに、外観面においても高級感を醸し出すことができるコースターを提供する。【解決手段】表面に凹部４が形成された基台２と、前記凹部４に収容される、小片部材６を接着剤にて固着した吸水具５とで構成されるコースター１であって、前記吸水具５は、小片部材６間に隙間が形成されるように固着されていることを特徴とする。また前記小片部材６は天然石を砕石させて形成し、また合成樹脂にて形成し、さらにビーズ状の球体に形成することができる。さらに、前記小片部材６に光沢剤を塗布した。【選択図】図１
0003176760.tif 000002
【実用新案登録請求の範囲】
【請求項１】
表面に凹部が形成された基台と、前記凹部に収容される、小片部材を接着剤にて固着した吸水具とで構成されるコースターであって、前記吸水具は、小片部材間に隙間が形成されるように固着されていることを特徴とするコースター。
【請求項２】
前記小片部材は、天然石を砕石させて形成されている請求項１記載のコースター。
【請求項３】
前記小片部材は、合成樹脂にて形成されている請求項１記載のコースター。
【請求項４】
前記小片部材は、ビーズ状の球体に形成されている請求項１乃至３のうちいずれか１項に記載のコースター。
【請求項５】
前記小片部材に光沢剤を塗布した請求項１乃至４のうちいずれか１項に記載のコースター。
【考案の詳細な説明】
【技術分野】
【０００１】  本考案は、外観面における高級感を醸し出すとともに、優れた吸水性を発揮することができるコースターに関する。
【背景技術】
【０００２】  従来より、グラスやコップ等の下にはコースターが敷設される。一般的なコースターは、紙や布、またコルクや木材等の素材からなり、円形や矩形、また多角形状に形成されている。またコースターは、グラスやコップの下に敷設することにより、上品さを演出するとともに、コップ表面の水滴がテーブルに付着するのを防ぐ実用的な面も具備している。【０００３】  また従来技術として、容器が載置された際に、複数の発光体が様々なパターンで点滅することが可能であることで、視覚的演出効果に変化を持たせることが可能なコースターがある（例えば特許文献１参照）。【０００４】  上掲特許文献１のコースターは、コップや花瓶等の容器を載置可能な載置面を有する本体と、前記載置面上の容器の有無を検知可能な検知部と、前記本体に設けられた複数の発光体と、前記検知部によって前記載置面上に容器を検知した際に、前記発光体を所定のパターンで点滅させる制御部と、該制御部による前記発光体の点滅のパターンを変更可能な点滅パターン変更手段とを備えることを特徴とする。
【先行技術文献】
【特許文献】
【０００５】
【特許文献１】特開２００３−２１９９４８号公報（特許請求の範囲等）
【考案の概要】
【考案が解決しようとする課題】
【０００６】  しかしながら、上掲特許文献１のコースターにおいては、吸水性が劣るため、コップの水滴がコースターの表面に溜まり、コップの底に水滴が付着したままの状態になる。そのため、コップを持ち上げた際、コップの底の水滴がテーブルや衣服に付着し不快感を与えてしまうという欠点があった。【０００７】  また、水滴によりコップの底と載置面とが密着すると、コップを持ち上げた際にコースターが一緒に持ち上がってしまうという問題も発生した。【０００８】  本考案は上記の点に鑑み、コップに付着した水滴を効率よく吸水することにより、コースターの表面に水滴が溜まることを防ぐとともに、外観面においても高級感を醸し出すことができるコースターを提供することにある。
【解決を解決するための手段】
【０００９】上記課題を解決するために本考案のコースターは、表面に凹部が形成された基台と、前記凹部に収容される、小片部材を接着剤にて固着した吸水具とで構成されるコースターであって、前記吸水具は、小片部材間に隙間が形成されるように固着されていることを特徴とする。
【００１０】  また前記小片部材は、天然石を砕石させて形成されている。
【００１１】  また前記小片部材は、合成樹脂にて形成されている。
【００１２】  また前記小片部材は、ビーズ状の球体に形成されている。
【００１３】  さらに、前記小片部材に光沢剤を塗布した。
【考案の効果】
【００１４】  本考案のコースターは、表面に凹部が形成された基台と、前記凹部に収容される、小片部材を接着剤にて固着した吸水具とで構成されるコースターであって、前記吸水具は、小片部材間に隙間が形成されるように固着されていることにより、コップの表面に付着した水滴が効率よく吸水具内に吸水されるため、コップの底に水滴が付着せず、テーブルや衣服を濡らすことを防ぎ、さらに、コースターがコップと一緒に持ち上がってしまうという問題を解消できる。
【００１５】  また、小片部材は天然石を砕石して形成されるので、天然石の持つ素材の美しさを演出することができる。
【００１６】  また、小片部材をビーズ状の球体とすることで、斬新的で柔和な雰囲気を出ことができる。
【００１７】  さらに、小片部材に光沢剤を塗布することにより、小片部材表面に上品な光沢を与えることができ、外観面においてより一層の高級感を醸し出すことができる。
【図面の簡単な説明】
【００１８】
【図１】本考案におけるコースターの全体斜視図である。
【図２】前記コースターの一部を拡大した断面図である。
【図３】他の形状を示すコースターの全体斜視図である。
【図４】球体形状の小片部材を収容させた状態の断面図である。
【図５】使用状態の断面図である。
【考案を実施するための形態】
【００１９】  本考案のコースターは、コップに付着した水滴を効率よく吸水することにより、コースターの表面に水滴が溜まることを防ぐとともに、外観面においても高級感を醸し出すことができるコースターを提供することにある。
以下、本考案のコースターにおける実施の形態を図面に基づいて説明する。
【００２０】  図１および図２に示す本考案のコースター１は、表面３に凹部４が形成された基台２と、前記凹部４内に収容される、小片部材６を接着剤７にて固着した吸水具５とで構成されている。
【００２１】  前記基台２は、プラスチックや木製、また金属等の材質からなり、矩形や円形、また多角形状等に形成される。また前記基台２の形状は特に限定するものではなく、図１に示すように矩形状のものや、図３に示すように円形のものでもよい。
【００２２】  前記基台２の表面３中央部には、コップ１０の径よりやや大きい円形状の凹部４が形成されている。また該凹部４には、複数の小片部材６を接着剤７にて固着され、前記凹部４の形状と略同一形状に形成された吸水具５が収容固定されている。
【００２３】  前記小片部材６は、天然石を適宜大きさに砕石したものが好ましく用いられる。前記小片部材６を用いることにより、天然石の持つ素材の美しさを演出することができる。なお、天然石の種類においては特に限定するものではない。
【００２４】  また特に、前記吸水具５は、小片部材６に接着剤７を塗布して互いに固着されていることで、小片部材６の間には多数の隙間が形成されている。そのため、図５に示すように、コップ１０から滴り落ちる水滴１１を効率よく吸水することができる。
【００２５】  また、本考案におけるコースターの他の好適例として、前記小片部材６を合成樹脂にて形成してもよい。合成樹脂を適宜形状に形成し、無色もしくは着色して小片部材６を形成することで、大量生産や製造コストの削減を実現できる。
【００２６】  また他の好適例として、図４に示すように、前記小片部材６をビーズ状の球体９に形成してもよい。この場合、球体９の素材として天然石は基より、プラスチックやガラス、また金属や陶土等であってもよい。さらに、球体９にさまざまな色彩を施してもよい。前記小片部材６をビーズ状の球体９に形成することにより、斬新的で柔和な雰囲気を演出することができる。
【００２７】  さらに他の好適例として、前記小片部材６に光沢剤１２を塗布することが好ましい。前記光沢剤１２は二ス等が好適に使用されるが、小片部材６の表面に上品な光沢を与えるものであれば、素材は特に限定されるものではない。
【符号の説明】
【００２８】１    コースター
２    基台
３    表面
４    凹部
５    吸水具
６    小片部材
７    接着剤
８    隙間
９    球体
１０  コップ
１１  水滴
１２  光沢剤
【図１】
0003176760.tif 000003
【図２】
0003176760.tif 000004
【図３】
0003176760.tif 000005
【図４】
0003176760.tif 000006
【図５】
0003176760.tif 000007